(57)【要約】【課題】戸体の開閉を行う操作部が戸体の表面に突出しない構造を実現する建具を提供すること。【解決手段】枠付ドア１は、枠体２と、枠体２を構成する戸先側縦枠２３に回転可能に取り付けられ、その室外側表面３１に見込方向に凹む凹部５０及び凹部５０の内側面５２から室外側表面３１の裏側で見付方向に延びるスペース５３が形成される戸体３と、戸体３の戸先側に配置され、閉鎖位置の戸体３を枠体２に固定するラッチ機構５５と、戸体３の室外側表面３１の裏側でスペース５３を形成する部分に配置され、ラッチ機構５５の固定解除を操作する室外側操作部５４と、を備える。【選択図】図１４
2018017004.tif 000002
【特許請求の範囲】
【請求項１】
枠体と、
前記枠体に回転可能に取り付けられ、その一側の表面に見込方向に凹む凹部及び前記凹部の内側面から前記表面の裏側で見付方向に延びるスペースが形成される戸体と、
前記戸体の戸先側に配置され、閉鎖位置の前記戸体を前記枠体に固定する固定機構と、
前記戸体の前記表面の裏側で前記スペースを形成する部分に配置され、前記固定機構の固定解除を操作する操作部と、を備える建具。
【請求項２】
前記戸体は、閉鎖位置において前記枠体の戸先側の見付面を覆う戸先側枠カバーを有する請求項１に記載の建具。
【請求項３】
前記戸先側枠カバーは、その内側に中空の配置スペースが形成され、
前記操作部の少なくとも一部が前記配置スペースに配置される請求項２に記載の建具。
【請求項４】
前記戸体の他側の表面には、前記固定機構に連動する第２操作部を埋設する第２凹部が形成される請求項１から３の何れかに記載の建具。
【請求項５】
枠体と、
前記枠体の吊元側の枠体見付面を覆う吊元側枠カバーを有する戸体と、
前記枠体に対して前記戸体を開閉可能に支持するヒンジ部と、を備え、
前記ヒンジ部は、
前記枠体の吊元側の枠体見付面に配置される枠側固定部と、
前記吊元側枠カバーにおける前記枠体見付面に対向する枠カバー対向面に配置される戸体側固定部と、
前記枠カバー対向面が前記枠体見付面に対向する閉鎖位置と前記枠カバー対向面が戸先側を向く開放位置との間を移動できるように、前記枠側固定部と前記戸体側固定部を連結するヒンジ連結部と、を有する建具。
【発明の詳細な説明】
【技術分野】
【０００１】
本発明は、枠体及び枠体に取り付けられる戸体を備える建具に関する。
【背景技術】
【０００２】
従来から、丁番を介して枠体に戸体を取り付ける構造の建具が知られている。この種の建具を開示するものとして例えば特許文献１がある。特許文献１には、上枠、下枠及び左右の縦枠からなる枠体と、この枠体内に丁番を介して回動自在に吊り込まれたドア本体とを備え、下枠の上面に室外方向に向って下降傾斜する傾斜面を形成し、ドア本体の下端にドアパッキンを設け、このドアパッキンはドア本体に取付けられる基部と下枠の傾斜面に対向する中空の当接部とからなり、この当接部は下枠の傾斜面に沿って略傾斜形状に形成され、その略傾斜形状部分がドア本体の全閉時に下枠の傾斜面に当接して変形しつつ密着するようにした建具について記載されている。
【先行技術文献】
【特許文献】
【０００３】
【特許文献１】特開２００１−３４２７７７号公報
【発明の概要】
【発明が解決しようとする課題】
【０００４】
ところで、戸体の開閉を行うためのハンドルは戸体の表面に取り付けられているため、戸体の突起物となっており、ハンドルが突出物として目立ってデザイン上の制約となっている。また、ハンドルの位置によっては、戸体を開いたときに実質的に有効開口を狭めてしまったり、ハンドルの位置が子供の頭の高さに位置したり、車椅子の使用者の出入りを妨げたりするおそれがある。
【０００５】
本発明は、戸体の開閉を行う操作部が戸体の表面に突出しない構造を実現する建具を提供することを目的とする。
【課題を解決するための手段】
【０００６】
本発明は、枠体（例えば、後述の枠体２、戸先側縦枠２３）と、前記枠体に回転可能に取り付けられ、その一側の表面（例えば、後述の室外側表面３１）に見込方向に凹む凹部（例えば、後述の凹部５０）及び前記凹部の内側面（例えば、後述の内側面５２）から前記表面の裏側で見付方向に延びるスペース（例えば、後述のスペース５３）が形成される戸体（例えば、後述の戸体３）と、前記戸体の戸先側に配置され、閉鎖位置の前記戸体を前記枠体に固定する固定機構（例えば、後述のラッチ機構５５）と、前記戸体の前記表面の裏側で前記スペースを形成する部分に配置され、前記固定機構の固定解除を操作する操作部（例えば、後述の室外側操作部５４）と、を備える建具（例えば、後述の枠付ドア１）に関する。
【０００７】
前記戸体は、閉鎖位置において前記枠体の戸先側の枠体見付面（例えば、後述の枠体見付面２３１）を覆う戸先側枠カバー（例えば、後述の戸先側枠カバー４３）を有することが好ましい。
【０００８】
前記戸先側枠カバーは、その内側に中空の配置スペース（例えば、後述の配置スペース８０）が形成され、前記操作部の少なくとも一部が前記配置スペースに配置されることが好ましい。
【０００９】
前記戸体の他側の表面（例えば、後述の室内側表面３２）には、前記固定機構に連動する第２操作部（例えば、後述の室内側操作部６０）を埋設する第２凹部（例えば、後述の室内側凹部６６）が形成されることが好ましい。
【００１０】
また、本発明は、枠体（例えば、後述の枠体２、吊元側縦枠２２）と、前記枠体の吊元側の枠体見付面（例えば、後述の枠体見付面２２１）を覆う吊元側枠カバー（例えば、後述の吊元側枠カバー４２）を有する戸体（例えば、後述の戸体３）と、前記枠体に対して前記戸体を開閉可能に支持するヒンジ部（例えば、後述のヒンジ部７０）と、を備え、前記ヒンジ部は、前記枠体の吊元側の枠体見付面に配置される枠側固定部（例えば、後述の枠側固定部７１）と、前記吊元側枠カバーにおける前記枠体見付面（例えば、後述の枠体見付面２２１）に対向する枠カバー対向面（例えば、後述の枠カバー対向面４２１）に配置される戸体側固定部（例えば、後述の戸体側固定部７２）と、前記枠カバー対向面が前記枠体見付面に対向する閉鎖位置と前記枠カバー対向面が戸先側を向く開放位置との間を移動できるように、前記枠側固定部と前記戸体側固定部を連結するヒンジ連結部（例えば、後述のヒンジ連結部７３）と、を有する建具（例えば、後述の枠付ドア１）に関する。
【発明の効果】
【００１１】
本発明の建具によれば、戸体の開閉を行う操作部が戸体の表面に突出しない構造を実現できる。
【図面の簡単な説明】
【００１２】
【図１】本発明の一実施形態に係る枠付ドアの斜視図である。
【図２】本実施形態の枠付ドアの正面図である。
【図３】本実施形態の枠付ドアの背面図である。
【図４】本実施形態の枠付ドアの平面図である。
【図５】本実施形態の枠付ドアの底面図である。
【図６】本実施形態の枠付ドアの右側面図である。
【図７】本実施形態の枠付ドアの左側面図である。
【図８】本実施形態の枠付ドアにおける図２のＡ−Ａ線端面図である。
【図９】本実施形態の枠付ドアにおける図２のＢ−Ｂ線端面図である。
【図１０】本実施形態の枠付ドアの使用状態の正面図である。
【図１１】本実施形態の枠付ドアの戸体が開いた状態の正面図である。
【図１２】本実施形態の枠付ドアの戸体が開いた状態の横断面図である。
【図１３】本実施形態の枠付ドアのヒンジ部及びその周囲の拡大横断面図である。
【図１４】本実施形態の枠付ドアのラッチ機構及びその周囲の拡大横断面図である。
【図１５】第１変形例の枠付ドアの一部を模式的に示す横断面図である。
【図１６】第２変形例の枠付ドアの一部を模式的に示す横断面図である。
【図１７】第３変形例の枠付ドアの一部を模式的に示す横断面図である。
【発明を実施するための形態】
【００１３】
以下、本発明の好ましい実施形態について、図面を参照しながら説明する。なお、本明細書において、「見付方向」は建物に形成された開口部に納められた建具における戸体の面方向を意味し、見付面は正面側から見たときに見える面である。また、「見込方向」は建具の奥行方向であり、戸体の厚み方向を意味し、見込面は奥行方向の面（見付方向を向く面）である。
【００１４】
まず、図１〜図９を参照して本発明の一実施形態の建具としての枠付ドア１の外観について説明する。
【００１５】
図１〜図７に示すように、枠付ドア１は、建物の開口部に固定される枠体２と、枠体２に取り付けられる戸体３と、を主要な構成として備える建具であり、室内外の出入口を構成する玄関ドアである。
【００１６】
枠体２は、上枠２１と、吊元側縦枠２２と、戸先側縦枠２３と、下枠２４と、が矩形に枠組みされて構成される。図３の背面視に示すように、戸体３は、枠体２の吊元側縦枠２２に３個のヒンジ部７０を介して取り付けられる。なお、ヒンジ部７０の構成については後述する。
【００１７】
戸体３は、その上部に上枠２１を隠す上部枠カバー４１が設けられる。図８は、本実施形態の枠付ドア１における図２のＡ−Ａ線端面図である。図８に示すように、上部枠カバー４１は、戸体３における枠体２の内側を閉鎖する部分から上方に延出する壁状に形成されており、上枠２１の見付面に対して見込方向で対面している。
【００１８】
戸体３は、その吊元側に吊元側縦枠２２を隠す吊元側枠カバー４２が設けられるとともに、その戸先側に戸先側縦枠２３を隠す戸先側枠カバー４３が設けられる。図９は、本実施形態の枠付ドア１における図２のＢ−Ｂ線端面図である。図９に示すように、吊元側枠カバー４２は、戸体３における枠体２の内側を閉鎖する部分の戸先側から壁状に延出して吊元側縦枠２２の枠体見付面２２１に対して見込方向で対面している（図１３参照）。同様に、戸先側枠カバー４３は、戸体３における枠体２の内側を閉鎖する部分の吊元側から壁状に延出して戸先側縦枠２３の枠体見付面２３１に対して見込方向で対面している（図１４参照）。
【００１９】
図２の正面視に示すように、閉鎖位置の戸体３の上部枠カバー４１、吊元側枠カバー４２及び戸先側枠カバー４３は、上枠２１、吊元側縦枠２２及び戸先側縦枠２３をそれぞれ隠す枠隠しとして機能し、枠体２の３方（上左右）が隠れる状態となる。
【００２０】
戸体３の室外側表面３１の戸先側には、見込方向の凹む凹部５０が形成される。本実施形態の凹部５０は、戸体３の上面から下面まで途切れることなく延びる溝状に形成されている。図２に示すように、凹部５０における正面を向く底面５１の下部にはシリンダ錠５が配置される。
【００２１】
図９に示すように、戸体３の室外側表面３１の裏側には凹部５０に連通するスペース５３が形成される。このスペース５３に戸体３を閉鎖位置で固定するラッチ機構５５を操作するための室外側操作部５４が配置される。
【００２２】
図１に示すように、本実施形態のスペース５３は、凹部５０の戸先側の内側面５２から見付方向の戸先側に延びる空間となっている。図２に示すように、スペース５３は、少なくとも正面視において外側から見えない死角に位置している。また、図３の背面視に示すように、戸体３の室内側表面３２の戸先側には、室内側操作部６０が配置される。図９に示すように、室内側操作部６０は、室内側表面３２と略面一になるように埋設されている。なお、ラッチ機構５５、室外側操作部５４、及び室内側操作部６０の構成については後述する。
【００２３】
次に、建物に設置される枠付ドア１及び戸体３を開閉するための構造について説明する。図１０は、本実施形態の枠付ドア１の使用状態の正面図である。図１１は、本実施形態の枠付ドア１の戸体３が開いた状態の正面図である。図１２は、本実施形態の枠付ドア１の戸体３が開いた状態の横断面図である。
【００２４】
図１０〜図１２に示すように、枠体２のうち、上枠２１、吊元側縦枠２２、戸先側縦枠２３は壁４に固定されている。下枠２４は、その下部が地面又は床面に埋設されている。上述のように、戸体３が閉鎖位置にある状態では、上枠２１、吊元側縦枠２２及び戸先側縦枠２３が戸体３の上部枠カバー４１、吊元側枠カバー４２及び戸先側枠カバー４３によって正面側から隠れる位置関係となる。そして、図１０及び図１１に示すように、戸体３が閉鎖位置から９０度開いた状態では上枠２１及び戸先側縦枠２３については正面側から見える状態となる。なお、本実施形態の下枠２４については、戸体３が閉鎖位置及び開放位置の何れに位置するかに関わらず外側からほとんど見えない位置関係となっている。
【００２５】
図１０に示すように、戸体３の開閉範囲及び回転速度をコントロールするドアクローザ６が戸体３の吊元側の上部と上枠２１を連結固定している。ドアクローザ６により戸体３の開閉範囲は略９０度に設定されている。また、図１１に示すように、枠体２の戸先側縦枠２３の吊元側を向く見込面９０には、ラッチ受け具７及びシリンダ錠受け具８が設けられる。
【００２６】
次に、ヒンジ部７０の構成について説明する。図１３は、本実施形態の枠付ドア１のヒンジ部７０及びその周囲の拡大横断面図である。
【００２７】
図１３に示すように、本実施形態の吊元側縦枠２２には、戸先側を向く見込面９１に吊元側戸当たり２７が配置される。吊元側戸当たり２７には、緩衝材としてパッキン部材２８が配置される。また、吊元側縦枠２２と壁４の間にはコーキング部９２等が設けられる。
【００２８】
本実施形態のヒンジ部７０は、いわゆる隠し丁番であり、枠側固定部７１と、戸体側固定部７２と、ヒンジ連結部７３と、主要な構成として備える。
【００２９】
枠側固定部７１は、縦長のブロック状に形成されており、吊元側縦枠２２の枠体見付面２２１に埋設される。
【００３０】
戸体側固定部７２は、縦長のブロック状に形成されており、閉鎖位置において戸体３の吊元側枠カバー４２の枠体見付面２２１に対向する部位に埋設される。以下、吊元側枠カバー４２の枠体見付面２２１に対向する部位を枠カバー対向面４２１とする。
【００３１】
ヒンジ連結部７３は、枠側固定部７１と戸体側固定部７２を連結する連結部材であり、複数の垂直軸（５軸）を有するリンク機構である。本実施形態のヒンジ連結部７３は、戸体側固定部７２を回転させつつ、吊元側枠カバー４２の吊元側端面４２２が壁４の見付面４５０に対面する位置まで回動させて戸体３を開放状態（閉鎖位置から９０度開いた状態）にするように構成される。
【００３２】
戸体３が閉鎖位置にある状態では、平面視において、枠側固定部７１の内側面（外側に露出している面）７１１と戸体側固定部７２の内側面（外側に露出している面）７２１は対面している状態である。図１３の鎖線に示すように、戸体３が開放位置にある状態では、平面視において、枠側固定部７１の内側面と戸体側固定部７２の内側面は対面することなく、直交する位置関係となっている。即ち、枠カバー対向面４２１が、枠体見付面２２１から離間して戸先側を向くことにより、戸体３が開いた状態になっている。
【００３３】
なお、ヒンジ連結部７３の構造は、一般的な隠し丁番に使用されるものを利用することができ、本実施形態では、ヒンジ連結部７３自体は１８０度回転可能なものが用いられており、ドアクローザ６によって回転範囲が設定されている。
【００３４】
次に、ラッチ機構５５、室外側操作部５４、及び室内側操作部６０の構成について説明する。図１４は、本実施形態の枠付ドアのラッチ機構５５及びその周囲の拡大横断面図である。
【００３５】
図１４に示すように、本実施形態の戸先側縦枠２３には、吊元側を向く見込面９０に戸先側戸当たり２５が配置される。戸先側戸当たり２５には、緩衝材としてパッキン部材２６が配置される。また、戸先側縦枠２３と壁４の間にはコーキング部９２等が設けられる。戸体３の閉鎖位置では、戸先側縦枠２３の枠体見付面２３１と戸先側枠カバー４３が見込方向で対向する位置関係となる。以下、閉鎖位置において、戸先側縦枠２３の枠体見付面２３１に対面する戸先側枠カバー４３の部位を枠カバー対向面４３１として説明する。
【００３６】
戸先側枠カバー４３を含む戸体３の戸先側の内部には、ラッチ機構５５、室外側操作部５４、及び室内側操作部６０を配置するための配置スペース８０が形成される。この配置スペース８０には、ラッチ機構５５、室外側操作部５４、及び室内側操作部６０を保持するための室内側ブラケット５８及び室外側ブラケット６５が設けられる。室内側ブラケット５８及び室外側ブラケット６５により、ラッチ機構５５、室外側操作部５４、及び室内側操作部６０が戸体３内部の戸先側で固定される。
【００３７】
ラッチ機構５５は、戸体３を枠体２に固定する固定機構である。本実施形態のラッチ機構５５は、本体ケース５５１と、該本体ケース５５１から突出して戸体３を固定するラッチ部５５２と、を主要な構成として備える。本体ケース５５１の内部には、本体ケース５５１から突出させて戸体３を固定する固定位置と、本体ケース５５１に退避させる解除位置と、の間でラッチ部５５２を移動させるための機構が内蔵される。
【００３８】
室外側操作部５４について説明する。室外側操作部５４は、戸体３のスペース５３を形成する裏側面５６に配置されており、室外側表面３１の裏側に位置する。室外側操作部５４は、室外側連動部材５９を介してラッチ機構５５に連結される。室外側連動部材５９は、平面視において室外側操作部５４から見込方向の室内側に延びた後、見付方向の吊元側に屈曲し、更に見込方向の室内側に延びた後、本体ケース５５１に接続されている。
【００３９】
室外側操作部５４は、配置スペース８０における戸先側枠カバー４３の内側の空間を利用して配置されている。室外側操作部５４及び室外側連動部材５９の一部が戸先側枠カバー４３の内部空間に入り込むレイアウトになっている。本実施形態では、戸先側縦枠２３における見込面９０に対面する戸先面３１１よりも室外側操作部５４の戸先側の端部が吊元側から離れており、吊元側から室外側操作部５４までの距離を長く確保できるようになっている。
【００４０】
使用者が、室外側からロックを解除する場合は、スペース５３に手を差し入れて室外側操作部５４を手前に押す（操作する）ことにより、室外側操作部５４に連動する室外側連動部材５９が可動してラッチ機構５５のロックが解除される。図２の正面視では、室外側操作部５４は、外部から見えない死角に位置している。
【００４１】
室内側操作部６０について説明する。室内側操作部６０は、戸体３の室内側表面３２に形成される室内側凹部６６に埋設される。本実施形態の室内側凹部６６は、室外側ブラケット６５によって構成される。
【００４２】
室内側操作部６０は、室内側凹部６６の内側に配置される垂直軸６１と、垂直軸６１によって回転自在に支持される回転板６２と、回転板６２の回転をラッチ機構５５に伝達する室内側連動部材６３と、を主要な構成として備える。
【００４３】
回転板６２は、上下方向に細長の板状に形成される。回転板６２は、戸先側に配置される垂直軸６１によって軸支されている。回転板６２は、戸体３を固定する固定位置では、室内側表面３２に略面一の状態となっている。
【００４４】
使用者が、室内側からロックを解除する場合は、回転板６２の吊元側の端部を室内側凹部６６の見込方向の室外側に押す（操作する）ことにより、回転板６２の吊元側が室内側凹部６６に回転し、この回転に連動する室内側連動部材６３によりラッチ機構５５のロックが解除される。
【００４５】
以上説明した実施形態によれば、以下のような効果を奏する。
枠付ドア１は、枠体２と、枠体２を構成する戸先側縦枠２３に回転可能に取り付けられ、その室外側表面３１に見込方向に凹む凹部５０及び凹部５０の内側面５２から室外側表面３１の裏側で見付方向に延びるスペース５３が形成される戸体３と、戸体３の戸先側に配置され、閉鎖位置の戸体３を枠体２に固定するラッチ機構５５と、戸体３の室外側表面３１の裏側でスペース５３を形成する部分に配置され、ラッチ機構５５の固定解除を操作する室外側操作部５４と、を備える。
【００４６】
これにより、室外側表面３１に形成された凹部５０に連通し、戸体３の裏側に延びるスペース５３に室外側操作部５４が配置されることになるので、室外側表面３１から突起物（例えば、従来のハンドル）を取り除くことができる。突起物がないので、人や物が突起物に引っ掛かったりすることもなくなり、安全性をより向上させることができる。また、突起物がなく、室外側操作部５４は正面からは見死角に位置するので、デザイン性を向上させることができる。ハンドル等の突起物に左右されなくなってデザインの選択の幅を広げることができる。
【００４７】
また、本実施形態の戸体３は、閉鎖位置において枠体２を構成する戸先側縦枠２３の枠体見付面２３１を覆う戸先側枠カバー４３を有する。
【００４８】
これにより、戸体３が閉鎖位置にある状態では、建物に固定される戸先側縦枠２３が戸先側枠カバー４３によって隠れるので戸体３と建物が一体的なデザインを行うことができ、より一層意匠性を向上させることができる。
【００４９】
また、本実施形態の戸先側枠カバー４３は、その内側に中空の配置スペース８０が形成され、室外側操作部５４が配置スペース８０に配置される。
【００５０】
これにより、従来のハンドル位置よりも戸先側に室外側操作部５４を設けることができるので、戸体３の支点であるヒンジ部７０から作用点である室外側操作部５４までの距離を長くとることができ、開閉力を軽減することができる。
【００５１】
また、本実施形態の戸体３の室内側表面３２には、ラッチ機構５５に連動する室内側操作部６０を埋設する第２凹部としての室内側凹部６６が形成される。
【００５２】
これにより、室内側表面３２においても、ラッチ機構５５を操作するための室内側操作部６０が戸体３に内蔵されることになり、ラッチ機構５５を操作する機能を保持したまま突起物をなくして室内側表面３２をフラットにすることができる。これによって、意匠性及び安全性を向上させることができる。また、図１１に示すように、突起物に左右されることなく、有効開口を利用できるので、車椅子使用者の出入りの利便性も向上させることができる。
【００５３】
また、本実施形態の枠付ドア１は、枠体２と、枠体２を構成する吊元側縦枠２２の枠体見付面２２１を覆う吊元側枠カバー４２を有する戸体３と、枠体２に対して戸体３を開閉可能に支持するヒンジ部７０と、を備える。ヒンジ部７０は、枠体２の吊元側の枠体見付面２２１に配置される枠側固定部７１と、枠体見付面２２１に対向する枠カバー対向面４２１に配置される戸体側固定部７２と、枠カバー対向面４２１が枠体見付面２２１に対向する閉鎖位置と枠カバー対向面４２１が戸先側を向く開放位置との間を移動できるように、枠側固定部７１と戸体側固定部７２を連結するヒンジ連結部７３と、を有する。
【００５４】
これにより、ヒンジ部７０の納め方を従来とは異なる位置、即ち、枠体見付面２２１に枠側固定部７１を埋設（配置）するとともに、枠カバー対向面４２１に戸体側固定部７２を埋設（配置）することにより、戸体３を開放位置にしても吊元側枠カバー４２が枠体２や壁４に干渉する事態を回避する構成を実現できる。これによって、従来はできなかった吊元側枠カバー４２付の戸体３の開閉が可能となり、外部に露出しない隠し丁番であるヒンジ部７０を使用しつつ、吊元側枠カバー４２により吊元側縦枠２２を隠すことができ、吊元側の意匠性を向上させることができる。
【００５５】
以上、本発明の好ましい実施形態について説明したが、本発明は、上述の実施形態に制限されるものではなく、適宜変更が可能である。次に、上記実施形態の変形例について説明する。なお、以下の説明において戸体３の戸先側に内蔵されるラッチ機構５５、室外側操作部５４及び室内側操作部６０の構成は上記実施形態と同様の構成である。また、既に説明した構成と同様の構成については、同じ符号を付してその説明を省略することがある。
【００５６】
図１５は、第１変形例の枠付ドア１０１の一部を模式的に示す横断面図である。図１５に示すように、第１変形例の枠付ドア１０１は、戸先側縦枠１３１の枠体見付面１３５が正面視において外部から見えるにように構成されている。戸体１５３の戸先側枠カバー４３は、戸先側縦枠１３１の一部を隠す部材として機能している。
【００５７】
吊元側縦枠１２１についてもその枠体見付面１２５が外部から視認できるように構成される。第１変形例の戸体１５３の吊元側端面は、吊元側縦枠１２１に左右方向（見付方向）で対面しており、上記実施形態における吊元側枠カバー４２の構成が省略されている。また、戸体１５３を支持するヒンジ部１７０は、従来の隠し丁番の納め方と同様の配置となっている。なお、戸体１５３の吊元側に吊元側枠カバー４２がないので、戸体１５３を開放位置にしたときも吊元側枠カバー４２が吊元側縦枠１２１に干渉することもない。即ち、第１変形例では、吊元側縦枠１２１を隠す機能を省略する一方、ヒンジ部１７０については外部から見えない隠し丁番が採用されている。
【００５８】
図１６は、第２変形例の枠付ドア１０２の一部を模式的に示す横断面図である。図１６に示すように、第２変形例の枠付ドア１０２は、隠し丁番ではなく、いわゆる旗丁番がヒンジ部１７１として用いられている。このように、第２変形例では、上述の旗丁番、五管丁番、ピボットヒンジ、段付き丁番等、隠し丁番以外の外観上見える丁番がヒンジ部１７１として採用されている。
【００５９】
図１７は、第３変形例の枠付ドア１０３の一部を模式的に示す横断面図である。図１７に示すように、第３変形例のヒンジ部１７２は、第２変形例と同様に、旗丁番等の外部に露出する丁番であり、上記実施形態のヒンジ部７０と同様の配置で吊元側枠体１２２及び戸体３に固定される。即ち、ヒンジ部１７２の枠側固定部は吊元側枠体１２２の枠体見付面１２６に固定され、戸体側固定部は戸体３の吊元側枠カバー４２の枠カバー対向面４２１に固定される。なお、第３変形例における戸先側枠体１３２の枠体見付面１３６は、戸先側枠カバー４３によって隠れるように構成される。
【００６０】
以上、変形例を用いて説明したように、ヒンジ部の構成や枠カバーの構成等も事情に応じて適宜変更することができ、上記実施形態及び変形例を組み合わせることも可能である。また、場合によっては室内側と室外側の形状を入れ替えることも可能である。即ち、室内側に上記実施形態の凹部５０や室外側操作部５４に相当する構造を配置し、室外側に室内側操作部６０に相当する構造を配置することも可能である。あるいは、室内外の操作部を同じ構造にすることもできる。
【符号の説明】
【００６１】
１  枠付ドア（建具）
２  枠体
３  戸体
２２  吊元側縦枠（枠体）
２３  戸先側縦枠（枠体）
３１  室外側表面（一側の表面）
３２  室内側表面（他側の表面）
４２  吊元側枠カバー４２
４３  戸先側枠カバー４３
５０  凹部
５２  内側面
５３  スペース
５４  室外側操作部（操作部）
５５  ラッチ機構（固定機構）
６０  室内側操作部（第２操作部）
６６  室内側凹部（第２凹部）
７０  ヒンジ部
７１  枠側固定部
７２  戸体側固定部
７３  ヒンジ連結部
８０  配置スペース
２２１  枠体見付面
４２１  枠カバー対向面
２３１  枠体見付面
４３１  枠カバー対向面
【図１】
2018017004.tif 000003
【図２】
2018017004.tif 000004
【図３】
2018017004.tif 000005
【図４】
2018017004.tif 000006
【図５】
2018017004.tif 000007
【図６】
2018017004.tif 000008
【図７】
2018017004.tif 000009
【図８】
2018017004.tif 000010
【図９】
2018017004.tif 000011
【図１０】
2018017004.tif 000012
【図１１】
2018017004.tif 000013
【図１２】
2018017004.tif 000014
【図１３】
2018017004.tif 000015
【図１４】
2018017004.tif 000016
【図１５】
2018017004.tif 000017
【図１６】
2018017004.tif 000018
【図１７】
2018017004.tif 000019
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
枠体と、
前記枠体に開閉可能に取り付けられ、その一側の表面に見込方向に凹む凹部及び前記凹部の内側面から前記表面の裏側で見付方向に延びるスペースが形成される戸体と、
前記戸体の戸先側に配置され、閉鎖位置の前記戸体を前記枠体に固定する固定機構と、
前記戸体の前記表面の裏側で前記スペースを形成する部分に配置され、前記固定機構の固定解除を操作する操作部と、を備える建具。
【請求項２】
前記戸体は、閉鎖位置において前記枠体の戸先側の見付面を覆う戸先側枠カバーを有する請求項１に記載の建具。
【請求項３】
前記戸先側枠カバーは、その内側に中空の配置スペースが形成され、
前記操作部の少なくとも一部が前記配置スペースに配置される請求項２に記載の建具。
【請求項４】
前記戸体の他側の表面には、前記固定機構に連動する第２操作部を埋設する第２凹部が形成される請求項１から３の何れかに記載の建具。
【請求項５】
枠体と、
前記枠体の吊元側の枠体見付面を覆う吊元側枠カバーを有する戸体と、
前記枠体に対して前記戸体を開閉可能に支持するヒンジ部と、を備え、
前記ヒンジ部は、
前記枠体の吊元側の枠体見付面に配置される枠側固定部と、
前記吊元側枠カバーにおける前記枠体見付面に対向する枠カバー対向面に配置される戸体側固定部と、
前記枠カバー対向面が前記枠体見付面に対向する閉鎖位置と前記枠カバー対向面が戸先側を向く開放位置との間を移動できるように、前記枠側固定部と前記戸体側固定部を連結するヒンジ連結部と、を有する建具。
【手続補正２】
【補正対象書類名】明細書
【補正対象項目名】０００６
【補正方法】変更
【補正の内容】
【０００６】
本発明は、枠体（例えば、後述の枠体２、戸先側縦枠２３）と、前記枠体に開閉可能に取り付けられ、その一側の表面（例えば、後述の室外側表面３１）に見込方向に凹む凹部（例えば、後述の凹部５０）及び前記凹部の内側面（例えば、後述の内側面５２）から前記表面の裏側で見付方向に延びるスペース（例えば、後述のスペース５３）が形成される戸体（例えば、後述の戸体３）と、前記戸体の戸先側に配置され、閉鎖位置の前記戸体を前記枠体に固定する固定機構（例えば、後述のラッチ機構５５）と、前記戸体の前記表面の裏側で前記スペースを形成する部分に配置され、前記固定機構の固定解除を操作する操作部（例えば、後述の室外側操作部５４）と、を備える建具（例えば、後述の枠付ドア１）に関する。